(57)【要約】【課題】受信したＴＶ画像を劣化させることなく、監視情報を文字や図形としてＴＶ画像領域と共通の画面内にスーパーインポーズできる放送波監視装置を実現すること。【解決手段】放送波を受信するＴＶチューナーと、このＴＶチューナーで受信した放送波の所定の測定項目を測定する受信信号測定部と、この受信信号測定部の測定結果をＯＳＤ重畳情報として表示領域にスーパーインポーズされたＯＳＤ画面を生成するＯＳＤ画面生成部を備えた放送波監視装置において、  前記ＯＳＤ画面生成部は、前記ＯＳＤ重畳情報を、レターボックスの黒帯領域にスーパーインポーズすることを特徴とするもの。【選択図】  図２
2013062781.tif 000002
【特許請求の範囲】
【請求項１】
放送波を受信するＴＶチューナーと、このＴＶチューナーで受信した放送波の所定の測定項目を測定する受信信号測定部と、この受信信号測定部の測定結果をＯＳＤ重畳情報として表示領域にスーパーインポーズされたＯＳＤ画面を生成するＯＳＤ画面生成部を備えた放送波監視装置において、
前記ＯＳＤ画面生成部は、前記ＯＳＤ重畳情報を、レターボックスの黒帯領域にスーパーインポーズすることを特徴とする放送波監視装置。
【請求項２】
前記ＯＳＤ画面生成部で生成出力されるビデオ信号の黒帯領域にスーパーインポーズされる前記ＯＳＤ重畳情報を監視解析し、異常を検出することにより所定の出力形態のアラームを出力するＴＶ画像監視解析装置を設けたことを特徴とする請求項１記載の放送波監視装置。
【請求項３】
前記ＴＶ画像監視解析装置は、
所定の測定項目の異常を検出する異常検出部と、この異常検出部に測定項目に応じた所定の閾値を設定する閾値設定部と、前記異常検出部が異常を検出することにより所定の出力形態のアラームを出力するアラーム発生部と、このアラーム発生部におけるアラーム発生の経過情報をログとして記録するログ記録部、
を含むことを特徴とする請求項２に記載の放送波監視装置。
【発明の詳細な説明】
【技術分野】
【０００１】
本発明は、放送波監視装置に関し、詳しくは、放送波の監視状態を表示する画面の改良に関する。
【背景技術】
【０００２】
従来から、たとえば地上波でＴＶ放送を行う放送事業者は、電波塔から送信されている放送波の状態を把握するために、放送事業者自身が社内に放送波監視装置を設置してモニタするとともに、サービスエリア内の複数の視聴者宅に放送波監視装置を設置して放送波のモニタを委託している。
【０００３】
図７は、従来の放送波監視装置の一例を示すブロック図である。図７において、ＴＶチューナー１には、放送事業者の電波塔から送信されているたとえば画面比率が１６：９の放送波ＢＷがアンテナ２を介して入力されている。ＴＶチューナー１は、制御部３から入力される制御信号Ｓｃ２に従って設定されるチャネルの放送波ＢＷを選択的に受信し、設定に応じて画面比率が４：３または１６：９のビデオ信号ＳｖをＯＳＤ(On Screen Display)画面生成部４に出力するが、図７の例では１６：９の画面比率のビデオ信号Ｓｖを出力する例を示している。
【０００４】
受信信号測定部５は、ＴＶチューナー１が現在受信している放送波ＢＷについて、チャネル番号、信号強度、Ｃ／Ｎ(Carrier to Noise)比、符号誤り率などを測定し、それらの測定結果Ｓｍを制御部３に出力する。
【０００５】
制御部３は、操作部６から入力される内部設定操作信号Ｓｉｓや外部から入力される制御信号Ｓｃ１に基づき、ＴＶチューナー１を制御するとともに、ＯＳＤ画面生成部４に受信信号測定部５の測定結果Ｓｍを含むＯＳＤ重畳情報Ｄｓｐを出力する。
【０００６】
ＯＳＤ画面生成部４は、制御部３から入力されるＯＳＤ重畳情報Ｄｓｐに基づき、図８のＯＳＤ画面例図に示すように、ビデオ信号ＳｖのＴＶ画像領域に、受信信号測定部５の測定結果Ｓｍに含まれている受信信号の信号強度およびＣ／Ｎ比のバーグラフ表示や、チャネル番号や符号誤り率などが監視結果としてスーパーインポーズされた画面比率が１６：９のビデオ信号Ｖｖｓｐを生成して出力する。
【０００７】
特許文献１には、受信装置がいずれかの検出項目の検出結果に基づいて異常状態と判別したときに、通信網を介してコールセンター内の監視サーバに動作状態情報を出力する技術が記載されている。
【先行技術文献】
【特許文献】
【０００８】
【特許文献１】特開２００８−１３１０６０
【発明の開示】
【発明が解決しようとする課題】
【０００９】
ところで、図７に示した従来の構成によれば、ＯＳＤ画面生成部４において、監視情報が文字や図形としてＴＶ画像領域の一部にスーパーインポーズされることから、ＯＳＤ画面生成部４から生成出力されるビデオ信号ＳｖｓｐのＴＶ画像はスーパーインポーズにより部分的に上書きされてしまうことになり、スーパーインポーズで上書きされた監視情報部分のＴＶ画像は消失することになる。
【００１０】
この結果、放送波ＢＷとして受信したＴＶ画像全体の監視が行えなくなってしまい、異常が発生したときに、ＴＶ画像のどの部分にどのような影響が現れていたのかを確認できなくなる場合がある。
【００１１】
本発明は、このような課題を解決するものであり、その目的は、受信したＴＶ画像を劣化させることなく、監視情報を文字や図形としてＴＶ画像領域と共通の画面内にスーパーインポーズできる放送波監視装置を実現することにある。
【課題を解決するための手段】
【００１２】
このような課題を達成するために、本発明のうち請求項１記載の発明は、
放送波を受信するＴＶチューナーと、このＴＶチューナーで受信した放送波の所定の測定項目を測定する受信信号測定部と、この受信信号測定部の測定結果をＯＳＤ重畳情報として表示領域にスーパーインポーズされたＯＳＤ画面を生成するＯＳＤ画面生成部を備えた放送波監視装置において、
前記ＯＳＤ画面生成部は、前記ＯＳＤ重畳情報を、レターボックスの黒帯領域にスーパーインポーズすることを特徴とする。
【００１３】
請求項２の発明は、請求項１記載の放送波監視装置において、
前記ＯＳＤ画面生成部で生成出力されるビデオ信号の黒帯領域にスーパーインポーズされる前記ＯＳＤ重畳情報を監視解析し、異常を検出することにより所定の出力形態のアラームを出力するＴＶ画像監視解析装置を設けたことを特徴とする。
【００１４】
請求項３の発明は、請求項２に記載の放送波監視装置において、
前記ＴＶ画像監視解析装置は、
所定の測定項目の異常を検出する異常検出部と、この異常検出部に測定項目に応じた所定の閾値を設定する閾値設定部と、前記異常検出部が異常を検出することにより所定の出力形態のアラームを出力するアラーム発生部と、このアラーム発生部におけるアラーム発生の経過情報をログとして記録するログ記録部、
を含むことを特徴とする。
【発明の効果】
【００１５】
これらにより、受信したＴＶ画像を劣化させることなく、監視情報を文字や図形としてＴＶ画像領域と共通の画面内にスーパーインポーズできる。
【図面の簡単な説明】
【００１６】
【図１】本発明の原理ブロック図である。
【図２】図１におけるＯＳＤ画面例図である。
【図３】サービスエリア内の複数の視聴者宅に設置される本発明装置の一実施例を示すブロック図である。
【図４】放送事業者自身が社内に設置してモニタするために使用される本発明装置の他の実施例を示すブロック図である。
【図５】図４におけるＴＶ画像監視解析装置１０の具体例を示すブロック図である。
【図６】本発明に基づく他のＯＳＤ画面例図である。
【図７】従来の放送波監視装置の一例を示すブロック図である。
【図８】図６におけるＯＳＤ画面例図である。
【発明を実施するための最良の形態】
【００１７】
以下、本発明の実施の形態について、図面を用いて詳細に説明する。図１は本発明の一実施例を示すブロック図であり、図７と共通する部分には同一の符号を付けている。図１と図７の相違点は、ＯＳＤ画面生成部７が、図２のＯＳＤ画面例図に示すように、受信信号の信号強度およびＣ／Ｎ比のバーグラフ表示や、チャネル番号や符号誤り率などの監視結果を、レターボックスの黒帯領域にスーパーインポーズするように構成されていることである。
【００１８】
図１において、ＴＶチューナー１で受信された画面比率が１６：９のビデオ信号は、ＯＳＤ画面生成部７に入力される。ここで、ＴＶチューナー１およびＯＳＤ画面生成部７の出力として画面比率が４：３のビデオ信号が選択されると、ＴＶ画像領域の上下に黒帯領域を伴ったいわゆるレターボックスとして表示される。
【００１９】
ＯＳＤ画面生成部７は、制御部３から入力されるＯＳＤ重畳情報Ｄｓｐに基づき、図２のＯＳＤ画面例図に示すように、レターボックスのビデオ信号Ｓｖの黒帯領域に、受信信号測定部５の測定結果Ｓｍに含まれている受信信号の信号強度およびＣ／Ｎ比のバーグラフ表示や、チャネル番号や符号誤り率などを監視結果としてスーパーインポーズされたビデオ信号Ｖｖｓｐを生成して出力する。
【００２０】
このように、ＯＳＤ画面生成部７で各黒帯領域にバーグラフ表示や監視結果をスーパーインポーズすることで、ＯＳＤ画面生成部７から生成出力されるビデオ信号ＳｖｓｐのＴＶ画像は従来のようにバーグラフ表示や監視結果のスーパーインポーズによってＴＶ画像領域が部分的に上書きされてしまうことはなく、必要に応じて、ＴＶ画像領域全体に表示されるＴＶ画像情報を全く損なうことなくそのままの状態で外部に出力できる。
【００２１】
図２のＯＳＤ画面生成部７の出力画面例図では、上部の黒帯領域にチャネル番号や符号誤り率などの監視結果をスーパーインポーズし、下部の黒帯領域に受信信号の信号強度およびＣ／Ｎ比のバーグラフ表示をスーパーインポーズする例を示しているが、これら各黒帯領域にスーパーインポーズする情報の組み合わせは図２の例に限るものではなく、任意に組み合わせることができる。
【００２２】
なお、本発明に基づく放送波監視装置は、図３に示すように構成され放送波のモニタを委託しているサービスエリア内の複数の視聴者宅に設置されるものと、図４に示すように構成され放送事業者自身が社内に設置してモニタするために使用されるものとに大別できる。
【００２３】
図３において、ＯＳＤ画面生成部７で生成されたバーグラフ表示や監視結果が各黒帯領域にスーパーインポーズされたビデオ信号Ｓｖｓｐは、外付けされるとともにネットワークＮＷにも接続されているＴＶ画像記録装置８に記録される。
【００２４】
ＴＶ画像記録装置８は、常に連続した一定期間（たとえば２４時間）のビデオ信号Ｓｖｓｐを逐次更新しながら保持記録するように構成されている。また、ＴＶ画像記録装置８はネットワークＮＷにも接続されている。
【００２５】
制御部３は、ネットワークＮＷを介してネットワークＮＷに接続されている図示しない上位装置に対して測定結果ＳｍやＯＳＤ重畳情報Ｄｓｐを含む出力信号Ｓｏｕｔを放送波監視装置の属性情報を付加して出力するとともに、ＴＶ画像記録装置８との間で制御信号Ｓｃ３の授受を行う。
【００２６】
これにより、放送事業者は、各視聴者宅に設置されている放送波監視装置の出力信号ＳｏｕｔをネットワークＮＷを介して上位装置に取り込むことができ、上位装置において各放送波監視装置における出力信号Ｓｏｕｔの各項目について異常の有無を判別でき、異常が発生している場合にはそれらの判別結果に基づいて、放送事業者側の放送設備の不具合に起因するものか、サービスエリアの特定地域における外部要因に起因するものかなどを判断できる。
【００２７】
また、放送事業者は、異常が発生している場合など必要に応じて、各視聴者宅に設置されている放送波監視装置のＴＶ画像記録装置８に保持記録されているビデオ信号Ｓｖｓｐを、ネットワークＮＷを介して取り出して確認することができる。たとえば上位装置に取り込まれた出力信号Ｓｏｕｔに基づいて異常発生と判断した場合、ネットワークＮＷを介してＴＶ画像記録装置８に異常発生と判断した出力信号Ｓｏｕｔの測定時刻情報を含む画像要求信号Ｓｒｅｑを入力することにより、指定時刻に該当するビデオ信号Ｓｖｓｐを入手して確認できる。
【００２８】
図４において、ＴＶ画像記録装置８にはＴＶモニタ９が接続されている。ＴＶモニタ９には、ＴＶ画像記録装置８に逐次更新しながら保持記録されるビデオ信号ＳｖｓｐやＴＶ画像記録装置８に保持記録されている過去のビデオ信号Ｓｖｓｐが、オペレータの設定に応じた所定の表示形態で表示される。画面の表示形態としては、選択された所定のビデオ信号Ｓｖｓｐのみの全画面表示、複数ビデオ信号Ｓｖｓｐの分割表示、選択されたあるビデオ信号Ｓｖｓｐを全画面表示するとともに選択された他のビデオ信号Ｓｖｓｐを縮小して重畳表示することなどが設定できる。
【００２９】
ＴＶ画像監視解析装置１０は、ＴＶ画像記録装置８に逐次更新しながら保持記録されるＯＳＤ画面生成部７から生成出力されるビデオ信号Ｓｖｓｐを監視解析する機能を有するものであり、たとえば図５に示すように、異常検出部１０ａ、閾値設定部１０ｂ、アラーム発生部１０ｃ、ログ記録部１０ｄなどで構成されている。
【００３０】
図５において、ＴＶ画像監視解析装置１０には、図示しない上位装置から、各部のパラメータを設定する外部設定信号ＳｅｓがネットワークＮＷを介して入力される。
【００３１】
ＴＶ画像監視解析装置１０における各部のパラメータとしては、たとえば、異常検出部１０ａが受信信号の信号強度やＣ／Ｎ比その他各種監視結果の測定値に対して異常検出を行うために閾値設定部１０ｂを介して設定される各種の閾値や、アラーム発生部１０ｃにおけるアラーム発生に伴うブザー駆動、ランプ点滅、メッセージ表示、接点信号Ｓｃｔｔの送出を含むアラーム出力形態設定などがある。
【００３２】
ログ記録部１０ｄは、アラーム発生部１０ｃにおけるアラーム発生の経過情報をログとして記録する。ログ記録部１０ｄに記録されるアラーム発生の経過情報は、必要に応じて外部設定信号Ｓｅｓに基づき出力信号ＳａｌｍとしてネットワークＮＷを介して図示しない上位装置に出力される。
【００３３】
制御部３は、ネットワークＮＷに対して測定結果ＳｍやＯＳＤ重畳情報Ｄｓｐを含む出力信号Ｓｏｕｔを出力するとともに、ＴＶ画像記録装置８との間で制御信号Ｓｃ３の授受を行う。
【００３４】
このような構成において、異常検出部１０ａは、閾値設定部１０ｂを介して設定される閾値に基づいて、受信信号強度の所定の設定レベルに対する大小関係を判断したり、受信信号ノイズの所定の設定レベルに対する大小関係を判断する。そして、受信信号強度が所定レベルに達していなかったり、受信信号ノイズが所定レベルを超えている場合には、アラーム発生部１０ｃを介して設定に基づく所定の出力形態のアラームを出力する。
【００３５】
なお、異常検出部１０ａは、たとえばバーグラフ表示部における先端部分の変化位置に対してアナログ的な閾値を設定して異常を検出するようにしてもよいし、デジタル化されている測定値に対するデジタル的な閾値を設定して異常を検出するようにしてもよい。
【００３６】
図４および図５の構成によれば、放送波監視装置自身がアラーム発生の有無を判断できるので図３に示した各視聴者宅に設置されている放送波監視装置の場合のように上位装置において各放送波監視装置における出力信号Ｓｏｕｔの各項目について異常の有無を判別する必要はなく、上位装置の負荷を軽減できる。
【００３７】
また、アラーム発生部１０ｃにおけるアラーム発生をトリガとして、ネットワークＮＷに接続されている上位装置に、アラームが発生した放送波監視装置の属性情報とアラームの内容をネットワークＮＷを介して自動的に送信するように構成することにより、上位装置がネットワークＮＷを介して別途受信している各視聴者宅に設置されている放送波監視装置からの出力信号Ｓｏｕｔに基づくアラーム情報の内容と照合することができ、そのアラームが放送事業者側の放送設備の不具合に起因するものか、サービスエリアの特定地域における外部要因に起因するものかなどを的確に判断でき、アラーム状態を復旧するのに必要適切な処置を迅速に行える。
【００３８】
また、放送事業者は、社内に設置されている放送波監視装置の出力信号ＳｏｕｔやＴＶ画像記録装置８に保持記録されているビデオ信号ＳｖｓｐおよびＴＶ画像監視解析装置１０におけるアラーム発生の経過情報に基づく出力信号Ｓａｌｍを、適宜必要に応じてネットワークＮＷを介して取り出して確認することができる。
【００３９】
ところで、アナログ波放送時代から用いられている４：３画面比率の監視装置は、現在も多数が稼働している。このような監視装置に１６：９画面比率のビデオ信号が入力されると、上下に黒帯を伴ったレターボックス形式で表示される。したがって、従来の監視装置においても、本発明のように画面比率が４：３のビデオ信号を入力するとともに、ＯＳＤ重畳情報をレターボックスの黒帯領域にスーパーインポーズすることにより、画像部分を劣化させることなく画像と文字や図形の監視情報の双方を監視することができ、新たな設備投資をすることなく既存の監視装置を有効活用できる。
【００４０】
また、従来から用いられているＴＶ画像監視装置には、図６（Ａ）に示すように、比率４：３の画面を多数の部分的な領域に分けて、各領域の画像のいずれかが動いた場合にアラームを出力する機能が組み込まれているものがある。
【００４１】
たとえば領域ａの画像が動いた場合にアラームを出すような設定をしておけば、図６（Ｂ）に示すように、画面比率１６：９のビデオ信号が入力される場合には、領域ａはレターボックス形式の黒帯部分の動きを監視することになる。したがって、図２に示すような信号強度やＣ／Ｎ値のバーグラフをＯＳＤによりスーパーインポーズ表示すれば、所定の値に変動があった場合のみをアラームとして検知することができ、既設装置を有効活用して低廉な信号強度やＣ／Ｎ値の監視装置を構成することができる。
【００４２】
以上説明したように、本発明によれば、受信したＴＶ画像を劣化させることなく、監視情報を文字や図形としてＴＶ画像領域と共通の画面内にスーパーインポーズできる放送波監視装置が実現できる。
【符号の説明】
【００４３】
１  ＴＶチューナー
２  アンテナ
３  制御部
５  受信信号測定部
６  操作部
７  ＯＳＤ画面生成部
８  ＴＶ画像記録装置
９  ＴＶモニタ
１０  ＴＶ画像監視解析装置
１０ａ  異常検出部
１０ｂ  閾値設定部
１０ｃ  アラーム発生部
１０ｄ  ログ記録部
ＢＷ  放送波
ＮＷ  ネットワーク
【図１】
2013062781.tif 000003
【図２】
2013062781.tif 000004
【図３】
2013062781.tif 000005
【図４】
2013062781.tif 000006
【図５】
2013062781.tif 000007
【図６】
2013062781.tif 000008
【図７】
2013062781.tif 000009
【図８】
2013062781.tif 000010